(57)【要約】【課題】引き違いが変更した組み立てにおいても、面当てキャップをそのまま転用でき、しかも、ネットの巻取装置を安定して支持し得るネット収納枠付き網戸および網窓を提供する。【解決手段】両方の面当てキャップは、隣接する枠に嵌入する連結片が突設された対称形状に成形され、ネット収納枠の端内面に接合する嵌合壁を有し、その嵌合壁を介して金属製の内基板が間隔を保持してビス止めされ、その間隔には、一端では前記調整装置を内装し、他端では巻取装置の中心軸の軸受子を挟持し、また、面当てキャップと内基板との中央に巻取装置の中心軸上の原軸穴を設け、一端における面当てキャップと内基板との両原軸穴に調整装置の原動歯車を支承し、他端における面当てキャップと内基板との両原軸穴には前記軸受子を嵌着した。【選択図】    図１
2004169488.tif 000002
【特許請求の範囲】
【請求項１】
左右縦枠と上下枠とによりネットを開閉する枠組みがなされ、そのうちの一の枠をネット収納枠として、それにコイルスプリングの弾力で巻取軸が回転するネットの巻取装置を内装し、このネット収納枠の両端にプラスチックからなる板状の面当てキャップをビス止めし、一端の面当てキャップの側で巻取装置の調整装置を備えた網戸および網窓において、両方の面当てキャップは、隣接する枠に嵌入する連結片が突設された対称形状に成形され、ネット収納枠の端内面に接合する嵌合壁を有し、その嵌合壁を介して金属製の内基板が間隔を保持してビス止めされ、その間隔には、一端では前記調整装置を内装し、他端では巻取装置の中心軸の軸受子を挟持し、また、面当てキャップと内基板との中央に巻取装置の中心軸上の原軸穴を設け、一端における面当てキャップと内基板との両原軸穴に調整装置の原動歯車を支承し、他端における面当てキャップと内基板との両原軸穴には前記軸受子を嵌着したことを特徴とするネット収納枠付き網戸および網窓。
【請求項２】
ネット収納枠が左右いずれかの縦枠であって、上下両方の面当てキャップおよび内基板には、原軸穴の近傍に従軸穴が設けられ、上端の面当てキャップと内基板との両従軸穴に、原動歯車と噛合する従動歯車を支承し、下端の面当てキャップと内基板との両従軸穴には、プラスチックにより軸受子と一体に成形された連れ子を嵌着し、上端の面当てキャップの原軸穴と従軸穴とに露出する原動歯車および従動歯車の軸部に回転操作するためのドライバー穴を設けてあることを特徴とする請求項１記載のネット収納枠付き網戸および網窓。
【発明の詳細な説明】
【０００１】
【発明の属する技術分野】
この発明は、ネットをスプリングの弾力で自動的に巻取り戻して開くようにした網戸、網窓等におけるネット収納枠に関する。
【０００２】
【従来の技術】
従来、この種の網戸は、網戸枠の一側の縦枠をネット収納枠として、実施例の図面に示すように、その中に、ネット５の巻取装置７として、巻取軸２７、自動的に巻く力を蓄えるコイルスプリング２５、巻取軸２７に対してコイルスプリング２５に回転弾発力を付与する中心軸３１等が内装される。また、ネット５の先に可動框１４が取り付けられ、可動框１４が他方の縦枠２にコイルスプリング２５の弾発力に抗して止められるようになっている。
【０００３】
そこで、可動框１４を縦枠２から離すと、コイルスプリング２５の力により自動的にネット５が巻取り戻される。このネット５の巻取りは、コイルスプリング２５の力により全幅がなされることが望ましい。つまり、可動框１４の掛止を解くとコイルスプリング２５の戻りにより一挙にネット５が全部収納されると好都合であるが、未収納の残りが生じることがあり、この場合は、手動で戻すか、戻るように調整する必要がある。また、ネット５の張りに過不足が生じることがあり、その調整が必要であるので、その調整装置１０が設けられる。
【０００４】
【発明が解決しようとする課題】
いずれにしても、未収納の残りを巻いて縦枠に納めるために、従来、図９に示すように、その縦枠１５０の上端にコイルスプリングの調整装置が設けられ、その調整摘み１５４が縦枠１５０上端の面当てキャップ１５６の中央に設けた穴１６０に回転可能に露出している等、このような上端の面当てキャップ１５６と下端の面当てキャップとは機能上から構造が異なっていたので、ネットを左右引き違いに変更するときに、面当てキャップの互換性がなく不都合であった。つまり、この種のネット収納枠付き網戸および網窓の製造においては、プラスチックで成形される面当てキャップの種類が多いと、高価な金型との関係でコスト高となるという問題があった。
【０００５】
この発明は、上記のような実情に鑑みて、引き違いが変更した組み立てにおいても、面当てキャップをそのまま転用でき、しかも、ネットの巻取装置を安定して支持し得るネット収納枠付き網戸および網窓を提供することを目的とした。
【０００６】
【課題を解決するための手段】
上記の目的を達成するために、この発明は、左右縦枠と上下枠とによりネットを開閉する枠組みがなされ、そのうちの一の枠をネット収納枠として、それにコイルスプリングの弾力で巻取軸が回転するネットの巻取装置を内装し、このネット収納枠の両端にプラスチックからなる板状の面当てキャップをビス止めし、一端の面当てキャップの側で巻取装置の調整装置を備えた網戸および網窓において、両方の面当てキャップは、隣接する枠に嵌入する連結片が突設された対称形状に成形され、ネット収納枠の端内面に接合する嵌合壁を有し、その嵌合壁を介して金属製の内基板が間隔を保持してビス止めされ、その間隔には、一端では前記調整装置を内装し、他端では巻取装置の中心軸の軸受子を挟持し、また、面当てキャップと内基板との中央に巻取装置の中心軸上の原軸穴を設け、一端における面当てキャップと内基板との両原軸穴に調整装置の原動歯車を支承し、他端における面当てキャップと内基板との両原軸穴には前記軸受子を嵌着したことを特徴とするネット収納枠付き網戸および網窓を提供するものである。
【０００７】
【作用】
ネット収納枠付き網戸および網窓を上記のように構成したから、連部片によりネット収納枠を隣接枠に組み合わせて枠組みがなされるものであって、一端の面当てキャップと他端の面当てキャップとは対称形状であるためそれが２種類であるが、ネットの開閉について引き違い変更の製品を組み立てるとき、または、引き違い変更に組み直すときには、ネット収納枠の両端において面当てキャップを互いに変えることによりその組み立てをなすことができる。いずれも同様に、原軸穴には、調整装置における原動歯車の軸受または軸受子の突部が嵌められることにより、巻取装置を安定して支持し得る。
【０００８】
【発明の実施の形態】
この発明において、巻取装置７の調整装置１０の構造は、中心軸３１と同軸の原動歯車３９を有すれば特に限定されるものではなく、実施例では、上端の面当てキャップ８に露出する原動歯車３９と従動歯車４１との軸部４７，４８にドライバー穴４９，５０を設けていずれの操作でも調整できるようにしたが、さらに、前面に従動歯車４１を露出させ（図８）、それを指先で回して調整できるようにしても良い等、様々な構造となり得る。なお、ネット収納枠１は、縦枠、上下枠のうちのいずれの場合もあり得る。
【０００９】
ネット収納枠１について、開閉カバー１７の有無は問題としないが、それを有するときには、実施例のように一端のビスポケット１９を軸として開閉する場合の他、嵌め込みにより着脱できるようにする場合もある。また、従動歯車４１を用いるときには（請求項２）、面当てキャップ８，９に原軸穴５７の他に従軸穴５９を有するが、それは、軸受子１５と一体の連れ子７９により封じられ、しかも、その並列により巻取装置７を支持する軸受けがさらに安定する。
【００１０】
なお、この発明は、建具としての網戸や網窓ばかりでなく、例えば、物品を入れるケース等の網窓にも実施される。また、ネット５を自動的に巻き戻すために、コイルスプリング２５が用いられるが、ネット５の巻き戻しが可能であれば、ゼンマイバネを用いてもこの発明の趣旨に反しないものとする。
【００１１】
【発明の効果】
以上説明したように、この発明のネット収納枠付き網戸および網窓によれば、ネット収納枠の両端の面当てキャップにおいて巻取装置の中心軸を支承し、そのうちの一端の面当てキャップにおいてネットの巻取装置の調整装置を装備するにつき、その両面当てキャップを対称形状に形成したので、ネットの引き違いの変更においても、別種類の面当てキャップを必要としなく、そのまま有効に使用できるため、網戸、網窓の製造について部品点数が少なくなりコスト的に有利となり、また、既存のものの勝手違いの変更においても好都合であり、しかも、巻取装置を安定して確実に支持できるという優れた効果がある。
【００１２】
【実施例】
次に、この発明の実施例を図面に基づいて説明する。
【００１３】
図１ないし図８は防虫網戸として実施した一例を示し、その防虫網戸は、一方の縦枠をネット収納枠１としたもので、そのネット収納枠１と他方の縦枠２と、上下枠３，４で枠組みされ（図１，図２）、ネット収納枠１にネット５の巻取装置７が装備され、枠組みについて、ネット収納枠１と上下枠３，４とには、それぞれ連結片１１付きの面当てキャップ８，９が用いられ、また、面当てキャップ８，９にそれぞれ内基板１３，１４が伴っている。そして、ネット収納枠１の上端において、巻取装置７の調整装置１０が設けられ、それが面当てキャップ８と内基板１３との間に装備される。また、ネット収納枠１の下端では、巻取装置７の軸受子１５が用いられ、それが面当てキャップ９と内基板１４との間に挟持される（図３）。なお、ネット５の先端には可動框１４を接続し、縦枠２に上下磁石１８，１８を取付け、可動框１４にそれに吸着される金属の磁石受け１８ａ，１８ａが取り付けてある。
【００１４】
ネット収納枠１は、枠本体１６と開閉カバー１７との組合せからなるもので、それぞれ断面Ｌ字形に形成され、枠本体１６については、内角と両端にビスポケット１９，１９，１９を設け（図４）、そのうちの一端のビスポケット１９を軸として開閉カバー１７が開閉可能に軸支され、その軸支のために、開閉カバー１７の基端にビスポケット１９に嵌まる一回り大きい軸受ポケット２０が形成される。
【００１５】
そして、開閉カバー１７が閉じたときに、枠本体１６との間の閉じ口がネット５の収納口２１として、その間隔が保持されるように、開閉カバー１７の先端近くに上下枠３，４の室内側面に掛かる突片２３が形成される。図４の実線が閉じた状態を示し、開閉カバー１７の先端部が上下枠３，４の端面に当接しているため、その先端部を一旦内側へ押してから開くことができる。
【００１６】
巻取装置７は、主要部がネット収納枠１の中に内装され（図３）、中心軸３１に筒形の巻取軸２７を軸承し、その軸承には、軸受３５，３５，３５が巻取軸２７に嵌合して固着される。そして、コイルスプリング２５が中心軸３１の上端部に挿入され、中心軸３１の回転によりコイルスプリング２５が巻かれるように、その下端を軸受３５に掛止し、上端を中心軸３１に止め具３７で固着してある。そこで、ネット５を開く矢印Ｐａ方向へ可動框１４を移動させネット５を引き出すと、コイルスプリング２５に弾力が蓄積され、ネット５を巻き取る矢印Ｐｂ回転方向へ付勢される。中心軸３１の上端には、調整装置１０との連結片３８がマイナス（−）形突片に加工して形成され、下端には、軸受子１５に回転可能に嵌まる細軸３２が形成される。
【００１７】
調整装置１０は、上端の面当てキャップ８と内基板１３との間に、中心軸３１と同軸に回転する原動歯車３９と、それに噛合する従動歯車４１とを挟んで支承したもので、さらにその間には、コイルスプリング２５の弾力を溜め込む原動歯車３９を停止および解除するラチェットレバー４３と、それを停止方向に付勢するばねピン４５が内装される。
【００１８】
原動歯車３９は、上にラチェット車４０を一体に形成したもので、上下に円形の軸部４７，４７を突設し、それにマイナス（−）形のドライバー穴４９が上下に貫通して形成され、その穴４９の下端に中心軸３１の上端の連結片３８が嵌入される。また、従動歯車４１にも上下に軸部４８，４８を突設し、これにもマイナス形のドライバー穴５０が形成される。また、ラチェットレバー４３は、く字形に屈折した形状であって、基端に軸受穴５１を、先端に指掛け５３をそれぞれ形成し、中間にラチェット車４０と噛合するラチェット５５が突設される。なお、側面にばねピン４５が掛かる細溝が形成される。
【００１９】
上下面当てキャップ８，９は、ほぼ四角形の板状であって一側の室外寄りから連結片１１が二股に突設してなるもので、上下内基板１３，１４とともに上下対称の同一形状となっている（図５，図６参照）。その形状については、周囲に枠本体１６の内側に接合する嵌合壁５６を突設し、それが前面から収納口２１に至る部分を除いて形成されており、それに内基板１３，１４が当たることによりそれとの間のセパレータの役目を果たしている。そして、嵌合壁５６を有する部分の３つの角部に、枠本体１６のビスポケット１９，１９，１９に取付ビス５９，５９，５９を螺入するために、その通し穴６１，６１，６１が設けられている。また、嵌合壁５６に当てて内基板１３，１４を固定するために、嵌合壁５６と一体的に、固定ビス６３，６３を螺入する一対の筒形螺入穴６４，６４が突設される。なお、四角形のうちの手前の収納口２１の近傍角がアールに角が取られている。
【００２０】
さらに、面当てキャップ８，９の四角形の中心部に原軸穴５７を、アール角近くに従軸穴５９をそれぞれ設け、奥端部にラチェットレバー４３が軸支される回動軸６５を突設し、その横にはばねピン４５が嵌まる支軸６７を突設してある。また、前端近くにはラチェットレバー４３の受け６８が突設され、ラチェットレバー４３は回動軸６５を中心にばねピン４５により付勢され、受け６８に止められた状態においてラチェット車４０に掛かっている。そこで、ラチェットレバー４３をばねピン４５の弾力に抗して引くと、コイルスプリング２５が戻る力で原動歯車３９が回転するので、引く程度でコイルスプリング２５を緩ませる調整ができる。また、連結片１１については、二股のそれぞれに一対ずつ連結ビス６９，６９の螺入穴７１，７１が形成されている。
【００２１】
上下内基板１３，１４は、これも互いに上下対称形状であって、枠本体１６のビスポケット１９，１９，１９の箇所と、面当てキャップ８，９のアール角の部分との四隅が切り欠かれた形状となっており、中心部に面当てキャップ８，９の原軸穴５７に対応する原軸穴５７ａと、従軸穴５９に対応する従軸穴５９ａがそれぞれ形成される。また、内基板１３，１４を止める固定ビス６３，６３の通し穴７３，７３が穿設される。
【００２２】
下端に有する軸受子１５は、巻取装置７の中心軸３１の下端細軸３２が嵌まる筒形であって、連部片７７を介して短柱状の連れ子７９が一体にプラスチックで成形され、軸受子１５の上下両端に内基板１４の原軸穴５７ａと面当てキャップ９の原軸穴５７にそれぞれ嵌まる円形の突部８１，８１が形成される。同様に、連れ子７９の上下両端には従軸穴５９ａ，５９にそれぞれ嵌まる突部８２，８２が形成される。
【００２３】
図８は、他の実施例を示したもので、開閉カバー１７の上端を短く欠除し、そこに従動歯車４１の一部が露出されるので、この場合は、その露出部分に指を掛けて従動歯車４１を回すことにより調整装置１０を操作することもできる。
【図面の簡単な説明】
【図１】この発明のネット収納枠付き網戸および網窓を示す分解斜視図である。
【図２】同要部をさらに分解した斜視図である。
【図３】同網戸および網窓の要部を示す正面から見た断面図である。
【図４】図３のＡ−Ａ線矢視の断面図である。
【図５】上端の面当てキャップの底面図である。
【図６】下端の面当てキャップの平面図である。
【図７】同網戸および網窓の要部を示す一端の平面図である。
【図８】他の実施例を示す図７に対応する平面図である。
【図９】従来例の説明図である。
【符号の説明】
１  ネット収納枠
２  縦枠
３  上枠
４  下枠
５  ネット
７  巻取装置
８，９  面当てキャップ
１０  調整装置
１１  連結片
１３，１４  内基板
１５  軸受子
２５  コイルスプリング
３１  中心軸
３９  原動歯車
４１  従動歯車
４７，４８  軸部
４９，５０  ドライバー穴
５６  嵌合壁
５７，５７ａ  原軸穴
５９  ５９ａ  従軸穴
７９  連れ子
【図１】
2004169488.tif 000003
【図２】
2004169488.tif 000004
【図３】
2004169488.tif 000005
【図４】
2004169488.tif 000006
【図５】
2004169488.tif 000007
【図６】
2004169488.tif 000008
【図７】
2004169488.tif 000009
【図８】
2004169488.tif 000010
【図９】
2004169488.tif 000011